【事件の表示】
　平成１０年特許願第　３４０３７号「眼鏡レンズ研削加工装置」拒絶査定不服審判事件〔平成１１年　８月１０日出願公開、特開平１１−２１６６５１〕について、次のとおり審決する。
【結　論】
　本件審判の請求は、成り立たない。
【理　由】
第１　手続の経緯
　本件出願は、平成１０年１月３０日の特許出願であって、同１６年１１月１２日付けで拒絶の理由が通知され、その指定期間内の同１７年１月１３日に意見書の提出とともに明細書について手続補正がされたが、同１７年８月２９日付けで拒絶をすべき旨の査定がされ、同１７年１０月７日に本件審判の請求がされ、その後、同１７年１１月７日付けで明細書について再度手続補正（以下「本件補正」という。）がされたものである。
　
第２　本件補正についての補正却下の決定
［補正却下の決定の結論］
　本件補正を却下する。
　
［理由］
１　補正の内容の概要
　本件補正は、特許請求の範囲を含む明細書について補正するものであって、その請求項１について補正前後の記載を補正箇所に下線を付して示すと以下のとおりである。
　
（１）補正前の請求項１
「【請求項１】　被加工レンズを挟持するレンズ回転軸と、被加工レンズの周縁を加工するのに必要なデータを入力し加工データを得る加工データ取得手段と、を有し、眼鏡レンズを眼鏡枠に合わせて周縁加工する眼鏡レンズ研削加工装置において、複数種の砥石を回転保持する砥石回転軸を少なくとも３軸を含む複数個有し、被加工レンズの種類及び加工モードに対応して用意された多数の砥石を、前記少なくとも３軸を含む複数の砥石回転軸に振り分けて配置するとともに、少なくとも３軸を含む複数の砥石回転軸を保持するタレット部を設け、該タレット部を一体として回転させることにより所期する砥石回転軸を選択的に所定の加工位置に移動させる砥石切換え手段と、入力された加工条件に基づく加工シーケンスにしたがって砥石切換え手段の動作を制御して所期する砥石回転軸を選択的に所定の加工位置に移動させる制御手段と、を備えることを特徴とする眼鏡レンズ研削加工装置。」
　
（２）補正後の請求項１
「【請求項１】　被加工レンズを挟持するレンズ回転軸と、被加工レンズの周縁を加工するのに必要なデータを入力し加工データを得る加工データ取得手段と、
レンズ回転軸を砥石側に移動させ砥石との軸間距離を変化させる移動手段と、
　
２　補正の適否　　　
　上記特許請求の範囲についての補正は、眼鏡レンズ研削加工装置が「レンズ回転軸を砥石側に移動させ砥石との軸間距離を変化させる移動手段と」を有することを限定するものであり、特許請求の範囲の減縮を目的とすることが明らかである。
　そこで、補正後の特許請求の範囲の請求項１に係る発明（以下「本件補正発明」という。）が特許出願の際に独立して特許を受けることができるものであるか否かについて検討する。
　
（１）本件補正発明
　本件補正発明は、本件補正により補正された明細書及び図面の記載からみて、前記１（２）に示す特許請求の範囲の請求項１に記載された事項により特定されるとおりのものであると認められる。
　
（２）引用刊行物
　これに対して、原査定の拒絶の理由に引用された本件出願前に日本国内において頒布された刊行物である特開平９−２５４０００号公報（以下「刊行物１」という。）には、以下の事項が記載されている。
ア　第２頁第１欄第２〜１５行
「【請求項１】　眼鏡用レンズを枠入れ加工するレンズ研削加工装置において、枠入れ加工のためのデ−タを入力するデ−タ入力手段と、該デ−タ入力手段の入力されたデ−タに基づいて加工デ−タを得る加工デ−タ演算手段と、被加工レンズを挟持するレンズ回転軸と、レンズ研削用の砥石と面取り用砥石とを同軸に配置する砥石軸と、該砥石軸を軸回りに回転させる砥石軸回転手段と、前記砥石軸を前記レンズ回転軸に対して相対移動させ軸間距離を変える軸間距離変動手段と、前記砥石軸を被加工レンズに対して相対的に前記レンズ回転軸方向に移動させるレンズ回転軸方向移動手段と、該レンズ回転軸方向移動手段及び前記軸間距離変動手段の動作を前記加工デ−タにより制御する制御手段と、を有することを特徴とするレンズ研削加工装置。」
　
イ　第２頁第１欄第３８〜４０行
「【発明の属する技術分野】本発明は、眼鏡枠に嵌合するように眼鏡レンズを研削加工するレンズ研削加工装置に関する。」
　
ウ　第３頁第３欄第３０〜４５行
「３００Ｒ，３００Ｌはそれぞれの回転シャフトにレンズ研削用の砥石を持つレンズ研削部である。各レンズ研削部３００Ｒ，３００Ｌは、後述する移動機構によりそれぞれサブベ−ス２に対して上下方向、左右方向に移動可能に保持されている。レンズ研削部３００Ｌの回転軸には、図２に示すように、プラスチック用の粗砥石３０、仕上砥石３１が取り付けられており、さらに仕上砥石３１の上端面には円錐面を持つ前面面取用砥石３２が、粗砥石３０の下端面には後面面取用砥石３３が同軸に取り付けられている。レンズ研削部３００Ｒの回転軸には、鏡面仕上砥石３４が取り付けられており、レンズ研削部３００Ｌと同じプラスチック用の粗砥石３０、円錐面を持つ前面鏡面面取用砥石３５及び後面鏡面面取用砥石３６が同軸に取り付けられている。これらの砥石群は、その直径が６０ｍｍ程の比較的小さなものを使用している。」
　
エ　第４頁第６欄第２７〜３８行
「左右のレンズ研削部３００Ｒ，３００Ｌは前述の移動機構のパルスモ−タの駆動制御により、上下のチャック軸に狭持された被加工レンズに対してそれぞれ上下及び左右方向に移動する。この移動により設定された砥石が被加工レンズに当接して研削を行う。装置は２つの回転軸に取り付けられた砥石群を持つので、同時に２方向からの研削加工を行うことができる（加工については後述する）。なお、本実施例ではチャック軸中心（レンズチャック上部１００及びレンズチャック下部１５０の軸中心）が、レンズ研削部の両シャフト３０４の軸中心を結ぶ直線上に位置するように設計配置されている（図６参照）。」
　
オ　第６頁第１０欄第１８〜３０行
「粗加工が終了すると、自動的にヤゲン加工に移る。制御部６００はレンズ研削部の移動機構により両粗砥石３０をレンズから離脱させる。レンズ研削部３００Ｒは初期位置に戻し、砥石の回転を止める。レンズ研削部３００Ｌはデ−タメモリ６０３に記憶したヤゲン加工デ−タに基づいて、仕上砥石３１のヤゲン溝がレンズに施すヤゲンの高さ位置になるようにレンズ研削部３００Ｌを移動させる（レンズ研削部３００Ｌも一旦初期位置に戻し、その後移動させても良い）。その後、ヤゲン加工デ−タに基づいて、モ−タ２１４Ｌを駆動制御して仕上砥石３１を左右方向（レンズ方向）に移動させるとともに、モ−タ２０４Ｌを駆動制御して仕上砥石３１を上下方向に移動させてヤゲン加工を行う。」
　
カ　第７頁第１１欄第６〜２８行
「装置は、まず前面の面取り加工を行う。制御部６００はレンズ左研削部３００Ｌの面取用砥石３２が被加工レンズの前面肩部の面取り位置の高さになるよう上下方向の移動を行い、前面面取用砥石３２を回転させながら、面取加工デ−タに従いレンズ側に移動する。その後、被加工レンズを回転させ、前面の面取加工デ−タに基づいて面取用砥石３２を上下左右方向に移動制御して全周の面を取っていく。面取り砥石はその径が比較的小さいものを使用しているので、ほとんどのレンズに対して面取り箇所以外の所に砥石が当接することなく、面取りを施すことができる。
　前面の面取り加工が完了したら、続いて後面面取砥石３３を被加工レンズの後面肩部の面取り位置の高さに合わせ、後面の面取加工デ−タに基づいて同様に面取り加工を行う。
　このように面取り加工は、他の砥石と同軸に取り付けた面取り砥石により行うことができるので、複雑な面取り機構を設けることなく、簡単な機構で効率良く面取りを行うことができる。
　以上、仕上砥石３１を使用した通常のヤゲン加工の例を説明したが、鏡面加工を行う時は、レンズ研削部３００Ｒの鏡面仕上砥石３４及び鏡面面取用砥石３５、３６を使用する。」
　
　これらの記載事項を本件補正発明に照らして整理すると、刊行物には、次の発明（以下「引用発明」という。）が記載されていると認めることができる。
「被加工レンズを挟持するレンズ回転軸と、枠入れ加工のためのデ−タを入力するデ−タ入力手段と、該デ−タ入力手段の入力されたデ−タに基づいて加工デ−タを得る加工デ−タ演算手段と、を有し、眼鏡用レンズを枠入れ加工するレンズ研削加工装置において、
　レンズ研削用の砥石と面取り用砥石とを同軸に配置する砥石軸を２軸有し、前記砥石軸を前記レンズ回転軸に対して相対移動させ軸間距離を変える軸間距離変動手段と、前記砥石軸を被加工レンズに対して相対的に前記レンズ回転軸方向に移動させるレンズ回転軸方向移動手段と、該レンズ回転軸方向移動手段及び前記軸間距離変動手段の動作を前記加工デ−タにより制御する制御手段を備えた、レンズ研削加工装置。」
　
（３）対比
　本件補正発明と引用発明とを対比する。
　引用発明の「枠入れ加工のためのデ−タを入力するデ−タ入力手段と、該デ−タ入力手段の入力されたデ−タに基づいて加工デ−タを得る加工デ−タ演算手段」は、本件補正発明の「被加工レンズの周縁を加工するのに必要なデータを入力し加工データを得る加工データ取得手段」に相当し、同様に「眼鏡用レンズを枠入れ加工するレンズ研削加工装置」は、「眼鏡レンズを眼鏡枠に合わせて周縁加工する眼鏡レンズ研削加工装置」に相当する。
　次に、引用発明の「砥石軸を前記レンズ回転軸に対して相対移動させ軸間距離を変える軸間距離変動手段」は、レンズ回転軸と砥石とを相対移動させレンズ回転軸と砥石との軸間距離を変化させる移動手段という限りで、本件補正発明の「レンズ回転軸を砥石側に移動させ砥石との軸間距離を変化させる移動手段」と共通する。
　また、引用発明において「レンズ研削用の砥石と面取り用砥石とを同軸に配置する砥石軸を２軸有」することは、複数種の砥石をそれぞれ回転保持する砥石回転軸を複数軸有するという限りで、本件補正発明において「複数種の砥石をそれぞれ回転保持する砥石回転軸を少なくとも３軸有」することと共通している。
　さらに、引用発明の「レンズ研削用の砥石と面取り用砥石」は、加工モードに対応して用意された多数の砥石ということができ、引用発明の「砥石軸」は、前記多数の砥石を、複数軸の砥石回転軸に振り分けて配置するものということができる。
　そして、引用発明は、前記レンズ回転軸方向移動手段及び軸間距離変動手段の動作を加工デ−タにより制御することにより、レンズ研削用の砥石と面取り用砥石とを同軸に配置する２つの砥石軸の、所期する砥石軸を選択して被加工レンズの研削加工を行うものであって、２つの砥石軸に配置された砥石を切り換えているということができる。
　したがって、引用発明における２軸の「レンズ研削用の砥石と面取り用砥石とを同軸に配置する砥石軸」及び「該レンズ回転軸方向移動手段及び前記軸間距離変動手段」は、被加工レンズの加工モードに対応して用意された多数の砥石を、複数軸の砥石回転軸に振り分けて配置するとともに、所期する砥石回転軸を選択的に所定の加工位置に移動させる砥石切換え手段という限りで、本件補正発明における「砥石切換え手段」と共通している。
　また、引用発明における前記制御が入力された加工条件に基づく加工シーケンスにしたがって行われることは明らかであるから、引用発明の「レンズ回転軸方向移動手段及び前記軸間距離変動手段の動作を前記加工デ−タにより制御する制御手段」は、入力された加工条件に基づく加工シーケンスにしたがって前記砥石切換え手段の動作を制御して所期する砥石回転軸を選択的に所定の加工位置に移動させる制御手段ということができるものである。
　
　以上のとおりであるから、両者の一致点及び相違点は、次のとおりと認められる。
［一致点］
「被加工レンズを挟持するレンズ回転軸と、被加工レンズの周縁を加工するのに必要なデータを入力し加工データを得る加工データ取得手段と、レンズ回転軸と砥石とを相対移動させ砥石との軸間距離を変化させる移動手段と、を有し、眼鏡レンズを眼鏡枠に合わせて周縁加工する眼鏡レンズ研削加工装置において、複数種の砥石をそれぞれ回転保持する砥石回転軸を複数軸有し、被加工レンズの加工モードに対応して用意された多数の砥石を、複数軸の砥石回転軸に振り分けて配置するとともに、所期する砥石回転軸を選択的に所定の加工位置に移動させる砥石切換え手段と、入力された加工条件に基づく加工シーケンスにしたがって前記砥石切換え手段の動作を制御して所期する砥石回転軸を選択的に所定の加工位置に移動させる制御手段と、を備える眼鏡レンズ研削加工装置。」である点。
［相違点１］
　砥石切換え手段に関して、本件補正発明では、複数種の砥石をそれぞれ回転保持する砥石回転軸を少なくとも３軸有し、被加工レンズの種類及び加工モードに対応して用意された多数の砥石を、少なくとも３軸の砥石回転軸に振り分けて配置するとともに、少なくとも３軸の砥石回転軸を保持するタレット部を設け、該タレット部を一体として回転させることにより所期する砥石回転軸を選択的に所定の加工位置に移動させる砥石切換え手段を備えるのに対して、引用発明では、そのように特定されていない点。
［相違点２］
　レンズ回転軸と砥石とを相対移動させる移動手段に関して、本件補正発明では、レンズ回転軸を砥石側に移動させ砥石との軸間距離を変化させる移動手段を有するのに対して、引用発明では、砥石回転軸をレンズ回転軸側に移動させている点。
　
（４）相違点についての検討
ア　相違点１について
　砥石切換え手段として、砥石をそれぞれ回転保持する砥石回転軸を少なくとも３軸有し、加工モードに対応して用意された多数の砥石を、少なくとも３軸の砥石回転軸に振り分けて配置するとともに、少なくとも３軸の砥石回転軸を保持するタレット部を設け、該タレット部を一体として回転させることにより所期する砥石回転軸を選択的に所定の加工位置に移動させるものは、例えば、本件の拒絶査定の備考欄に挙げられた特開昭６３−２６７１６１号公報の第１、２、５図に記載されている他、特開昭６３−２８５４７号公報の第１、２図等にも記載されているように従来周知の事項である。
　また、眼鏡レンズ研削加工装置において、被加工レンズの種類に対応して複数種の砥石を用意することも従来周知の事項にすぎない。
　してみると、引用発明における、複数種の砥石をそれぞれ回転保持する砥石回転軸に対して上記周知の事項を採用して相違点１に係る本件補正発明の特定事項とすることは当業者が容易になし得たことである。
　
イ　相違点２について
　レンズ回転軸と砥石とを相対移動させる上で、いずれの側を移動させるかは当業者が適宜選択することのできる事項であって、レンズ回転軸側を移動させることも、例えば、特開平３−１６６０５０号公報に記載されているように当業者に既に知られた事項にすぎないから、引用発明における移動手段として、レンズ回転軸を砥石側に移動させ砥石との軸間距離を変化させるようにすることは当業者が容易になし得たことである。
　
ウ　本件補正発明の効果について
　本件補正発明によってもたらされる効果も、引用発明及び上記従来周知の各事項から当業者であれば十分予測できる範囲内のものであって格別顕著なものとはいえない。
　
エ　したがって、本件補正発明は、引用発明及び従来周知の事項に基づいて当業者が容易に発明をすることができたものであるから、特許法第２９条第２項の規定により特許出願の際独立して特許を受けることができないものである。
　
３　むすび
　以上のとおり、本件補正は、特許法第１７条の２第５項において準用する同法第１２６条第５項の規定に違反するので、その余の補正の要件について検討するまでもなく、同法第１５９条第１項において読み替えて準用する同法第５３条第１項の規定により却下すべきものである。
　
第３　本願発明について
１　本願発明
　本件補正は、上記のとおり却下されたので、本件出願の請求項１に係る発明（以下「本願発明」という。）は、平成１７年１月１３日付け手続補正書により補正された明細書及び図面の記載からみて、前記第２の１（１）に示す特許請求の範囲の請求項１に記載された事項により特定されるとおりのものであると認められる。
　
２　引用刊行物
　これに対して、原査定の拒絶の理由に引用された刊行物及びその記載内容は、前記第２の２（２）に示したとおりである。
　
３　対比・検討
　本願発明は、前記第２の２で検討した本件補正発明から「レンズ回転軸を砥石側に移動させ砥石との軸間距離を変化させる移動手段と」という事項を削除したものである。
　そうすると、本願発明を特定する事項の全てを含み、さらに他の事項を付加したものに相当する本件補正発明が前記第２の２（４）で示したとおり、引用発明及び従来周知の事項に基づいて当業者が容易に発明をすることができたものであるから、本願発明も同様の理由により当業者が容易に発明をすることができたものである。
　
４　むすび
　以上のとおり、本願発明は、引用発明及び従来周知の技術手段に基づいて当業者が容易に発明をすることができたものであるから、特許法第２９条第２項の規定により特許を受けることができないものである。
　よって、結論のとおり審決する。